(57)【要約】【課題】ペーパレストを備える画像印刷装置において、ペーパレストに載置されている用紙を保護すると共に、ペーパレストに用紙を載置するときの使い勝手を良くする。【解決手段】画像印刷装置１は、用紙が載置されるペーパレスト２と、ペーパレスト２の用紙載置面２ａ上を覆う用紙カバー５とを備える。用紙カバー５は、カバー支持板６を介して、ペーパレスト２に可動自在に支持されており、ペーパレスト２の用紙載置面２ａ上を覆う状態と覆わない状態とに動かされる。用紙カバー５は、用紙カバー５のカバー保持部材８がカバー保持部材７に当接されることにより、用紙カバー５が自重で動こうとする方向に支えられて、ペーパレスト２の用紙載置面２ａ上を覆う状態に保持され、また、用紙カバー５の先端がカバー保持部材９に当接されることにより、ペーパレスト２の背後に重なるように、ペーパレスト２の用紙載置面２ａ上を覆わない状態に保持される。【選択図】図１
2009046247.tif 000002
【特許請求の範囲】
【請求項１】
画像を印刷するための用紙が載置されるペーパレストを備え、前記ペーパレストに載置された用紙を筺体内に取込んで、前記筺体内において用紙に画像を印刷する画像印刷装置において、
前記ペーパレストの用紙載置面上を覆う用紙カバーを備え、
前記用紙カバーは、可動自在に支持されており、前記ペーパレストの用紙載置面上を覆う状態と覆わない状態とに動かされる、
ことを特徴とする画像印刷装置。
【請求項２】
前記用紙カバーは、回動自在に支持されており、前記ペーパレストの用紙載置面上を覆う状態と覆わない状態とに回動される、
ことを特徴とする請求項１に記載の画像印刷装置。
【請求項３】
前記用紙カバーは、前記ペーパレストの用紙載置面上を覆う状態において、該用紙カバーが自重で動こうとする方向に支えられて保持される、
ことを特徴とする請求項２に記載の画像印刷装置。
【請求項４】
前記用紙カバーは、前記ペーパレストの用紙載置面上を覆わない状態において、前記ペーパレストの背後に重なるように保持される、
ことを特徴とする請求項３に記載の画像印刷装置。
【請求項５】
前記用紙カバーは、透視性を有する材料により形成されている、
ことを特徴とする請求項４に記載の画像印刷装置。
【請求項６】
前記用紙カバーは、前記ペーパレストに載置された用紙を前記筺体内に取込むための用紙取込開口を前記ペーパレストの用紙載置面上と共に覆う、
ことを特徴とする請求項５に記載の画像印刷装置。
【発明の詳細な説明】
【技術分野】
【０００１】
本発明は、ペーパレストに載置された用紙を筺体内に取込んで、用紙に画像を印刷する画像印刷装置に関するものである。
【背景技術】
【０００２】
従来から、用紙に画像を印刷する画像印刷装置において、画像を印刷するための用紙が載置されるペーパレストを備え、ペーパレストに載置された用紙を筺体内に取込んで、筺体内において用紙に画像を印刷するものがある。ペーパレストには、複数枚の用紙を重ねて載置できるようになっており、ペーパレストに載置された用紙は、１枚ずつ取込まれるようになっている。
【０００３】
このようなペーパレストを備える画像印刷装置において、ペーパレストに載置された用紙を例えば埃や日焼けなどから保護するために、ペーパレストの用紙載置面上を用紙カバーで覆うようにしたものが知られている（例えば特許文献１及び特許文献２参照）。特許文献１に記載の画像印刷装置では、排紙トレイを取外して用紙カバーとして使用するようになっており、用紙カバー（排紙トレイ）は、画像印刷装置の不使用時に給紙トレイ（ペーパレスト）の上部に装着されるようになっている。特許文献２に記載の画像印刷装置では、用紙カバーは、給紙カセット（ペーパレスト）の上部に着脱自在に配置されるようになっている。また、ロール紙に画像を印刷する画像印刷装置において、ロール紙を用紙カバーにより覆うようにしたものが知られている（例えば特許文献３参照）。
【特許文献１】特開２００４−１８１８５３号公報
【特許文献２】特開平９−２５４４９３号公報
【特許文献３】実公平５−９１９１号公報
【発明の開示】
【発明が解決しようとする課題】
【０００４】
ところが、上述した特許文献１及び特許文献２に記載の画像印刷装置においては、用紙カバーは、ペーパレストに着脱されるようになっている。このため、ペーパレストに用紙を載置するときには、用紙カバーをペーパレストから取外して、一旦、用紙カバーを別の場所に置き、そして、用紙をペーパレストに載置した後、別の場所に置いていた用紙カバーを手に取って、用紙カバーをペーパレストに装着しなければならない。このような行為は、煩雑であり、ペーパレストに用紙を載置するときの使い勝手が悪い。なお、上述した特許文献３に記載の画像印刷装置は、ペーパレストを備えておらず、従って、特許文献３に記載の構成を適用したとしても、上記の問題を解決することはできない。
【０００５】
本発明は、上記課題を解決するためになされたものであり、ペーパレストを備える画像印刷装置において、ペーパレストに載置されている用紙を保護することができると共に、ペーパレストに用紙を載置するときの使い勝手を良くすることができる画像印刷装置を提供することを目的とする。
【課題を解決するための手段】
【０００６】
上記目的を達成するために請求項１の発明は、画像を印刷するための用紙が載置されるペーパレストを備え、ペーパレストに載置された用紙を筺体内に取込んで、筺体内において用紙に画像を印刷する画像印刷装置において、ペーパレストの用紙載置面上を覆う用紙カバーを備え、用紙カバーは、可動自在に支持されており、ペーパレストの用紙載置面上を覆う状態と覆わない状態とに動かされるものである。
【０００７】
請求項２の発明は、請求項１に記載の画像印刷装置において、用紙カバーは、回動自在に支持されており、ペーパレストの用紙載置面上を覆う状態と覆わない状態とに回動されるものである。
【０００８】
請求項３の発明は、請求項２に記載の画像印刷装置において、用紙カバーは、ペーパレストの用紙載置面上を覆う状態において、該用紙カバーが自重で動こうとする方向に支えられて保持されるものである。
【０００９】
請求項４の発明は、請求項３に記載の画像印刷装置において、用紙カバーは、ペーパレストの用紙載置面上を覆わない状態において、ペーパレストの背後に重なるように保持されるものである。
【００１０】
請求項５の発明は、請求項４に記載の画像印刷装置において、用紙カバーは、透視性を有する材料により形成されているものである。
【００１１】
請求項６の発明は、請求項５に記載の画像印刷装置において、用紙カバーは、ペーパレストに載置された用紙を筺体内に取込むための用紙取込開口をペーパレストの用紙載置面上と共に覆うものである。
【発明の効果】
【００１２】
請求項１の発明によれば、用紙カバーをペーパレストの用紙載置面上を覆わない状態にすることにより、ペーパレストに用紙を載置することが可能になり、一方、用紙カバーをペーパレストの用紙載置面上を覆う状態にすることにより、ペーパレストに載置されている用紙を用紙カバーにより覆って保護することができる。しかも、用紙カバーは、可動自在に支持されており、ペーパレストの用紙載置面上を覆う状態と覆わない状態とに動かされる。すなわち、用紙カバーを画像印刷装置から取外すことなく、用紙カバーを画像印刷装置に支持された状態で動かすだけで、ペーパレストの用紙載置面上を覆う状態と覆わない状態とにすることができる。従って、用紙カバーを取外して別の場所に置いたり、別の場所に置いていた用紙カバーを手に取って装着することなく、ペーパレストに用紙を載置することができ、ペーパレストに用紙を載置するときの使い勝手を良くすることができる。また、用紙カバーが取外されたままで放置されることによる用紙カバーの紛失等を防ぐこともできる。
【００１３】
請求項２の発明によれば、用紙カバーを回動させるだけで、ペーパレストの用紙載置面上を覆う状態と覆わない状態とにすることができる。用紙カバーを回動させる行為は容易であり、従って、容易に、ペーパレストの用紙載置面上を覆う状態と覆わない状態とにすることができ、ペーパレストに用紙を載置するときの使い勝手をより良くすることができる。
【００１４】
請求項３の発明によれば、用紙カバーを自重で動こうとする方向と逆の方向に動かすだけで、ペーパレストの用紙載置面上を覆わない状態にすることができる。用紙カバーを自重で動こうとする方向と逆の方向に動かす行為は容易であり、従って、容易に、ペーパレストの用紙載置面上を覆わない状態にすることができ、ペーパレストに用紙を載置するときの使い勝手をより良くすることができる。
【００１５】
請求項４の発明によれば、用紙カバーをペーパレストの用紙載置面上を覆わない状態にするとき、用紙カバーをペーパレストの背後に重なるように保持しておくことにより、用紙カバーが画像印刷装置の周囲の障害にならず、利便性が向上する。
【００１６】
請求項５の発明によれば、用紙カバーがペーパレストの用紙載置面上を覆っていても、用紙カバー越しに、ペーパレストに載置されている用紙が見える。従って、用紙カバーをペーパレストの用紙載置面上を覆う状態にしておくことにより、ペーパレストに載置されている用紙を保護しつつ、ペーパレストに載置されている用紙の残量や、ペーパレストに載置されている用紙が筺体内に取込まれる様子を確認することができ、利便性が向上する。
【００１７】
請求項６の発明によれば、用紙カバーがペーパレストの用紙載置面上を覆っているときには、用紙取込開口も用紙カバーにより覆われる。従って、用紙カバーをペーパレストの用紙載置面上を覆う状態にしておくことにより、ペーパレストに載置されている用紙を保護することに加えて、用紙取込開口から筺体内に埃などが入り込むことを防止することができ、利便性が向上する。
【発明を実施するための最良の形態】
【００１８】
以下、本発明を具体化した実施形態による画像印刷装置について図面を参照して説明する。
＜第１の実施形態＞
図１（ａ）（ｂ）、図２（ａ）（ｂ）、図３（ａ）（ｂ）は、第１の実施形態による画像印刷装置の構成を示す。画像印刷装置１は、例えばパーソナルコンピュータ等の外部機器から入力される印刷データを基に、用紙に画像を印刷する装置である。
【００１９】
画像印刷装置１は、画像を印刷するための用紙が載置されるペーパレスト２と、ペーパレスト２に載置される用紙をガイドする基準ガイド３、可動ガイド４とを備えている。また、画像印刷装置１は、筺体１０の内部に、用紙を搬送する用紙搬送手段（不図示）及び用紙に画像を印刷する画像印刷手段（不図示）を備えている。筺体１０には、用紙を取込むための用紙取込開口１１と、用紙を排出するための排紙口１２が設けられている。
【００２０】
また、画像印刷装置１は、ペーパレスト２に載置される用紙を保護する用紙カバー５と、用紙カバー５を可動自在に支持するカバー支持板６と、用紙カバー５の姿勢を保持するためのカバー保持部材７、８、９等を備えている。用紙カバー５は、ペーパレスト２の用紙載置面２ａ上を覆う状態と覆わない状態とに動かされるようになっており、用紙載置面２ａ上を覆う状態に保持され（図２（ａ）（ｂ）参照）、また、用紙載置面２ａ上を覆わない状態に保持される（図３（ａ）（ｂ）参照）ようになっている。
【００２１】
ペーパレスト２は、平板形状をしており、筺体１０の背部に設けられている。用紙は、例えばＡ４サイズ、レターサイズ等のサイズの異なるものが用いられ、１枚又は複数枚のものが重ねられて、その下端側が筺体１０の用紙取込開口１１に挿入されて、ペーパレスト２の用紙載置面２ａに載置される。用紙載置面２ａは、水平面に対して用紙の搬送方向に傾斜している。
【００２２】
基準ガイド３は、用紙の一側端に当接されて用紙を位置決め及びガイドするものであり、可動ガイド４は、用紙の他側端に当接されて用紙をガイドするものである。基準ガイド３及び固定ガイド４は、ペーパレスト２の用紙載置面２ａ側に突出するように設けられている。基準ガイド３は、ペーパレスト２に固定的に設けられており、可動ガイド４は、サイズの異なる用紙に対応して用紙をガイドできるように、基準ガイド３との間隔を調整できるようにペーパレスト２の用紙載置面２ａに沿って移動自在に設けられている。
【００２３】
ペーパレスト２に載置された用紙は、用紙搬送手段により１枚ずつ用紙取込開口１１から筺体１０の内部に取り込まれて、画像印刷手段により画像が印刷され、そして、用紙搬送手段により排紙口１２から筺体１０の外部に排出される。すなわち、画像印刷装置１は、ペーパレスト２に載置された用紙を１枚ずつ用紙取込開口１１から筺体１０の内部に取込んで、筺体１０の内部において用紙に画像を印刷し、そして、画像印刷後の用紙を排紙口１２から筺体１０の外部に排出する。
【００２４】
用紙カバー５は、ペーパレスト２に載置された用紙を覆うことにより、ペーパレスト２に載置された用紙を例えば埃などから保護するものである。用紙カバー５は、平板形状をしており、カバー支持板６を介して、ペーパレスト２に可動自在に支持されている。カバー支持板６は、ペーパレスト２に、軸部６２を支点として回動自在に支持されており、用紙カバー５は、カバー支持板６に、軸部５６を中心として回動自在に支持されている。カバー支持板６のペーパレスト２に対する回動中心軸Ｃ１は、ペーパレスト２の用紙載置面２ａと平行かつ水平な方向になっており、用紙カバー５のカバー支持板６に対する回動中心軸Ｃ２も、ペーパレスト２の用紙載置面２ａと平行かつ水平な方向になっている。
【００２５】
すなわち、用紙カバー５は、カバー支持板６に対して回動されることにより、また、カバー支持板６と共にペーパレスト２に対して回動されることにより、ペーパレスト２の用紙載置面２ａ上を覆う状態と覆わない状態とに動かされるようになっている。用紙カバー５及びカバー支持板６は、各々、例えば無色透明なプラスチック等の透視性を有する材料により形成されている。
【００２６】
カバー保持部材７は、用紙カバー５をペーパレスト２の用紙載置面２ａ上を覆う状態に保持するためのものである。カバー保持部材７は、ペーパレスト２の用紙載置面２ａ側に設けられており、ペーパレスト２の用紙載置面２ａから突出している。カバー保持部材７は、ペーパレスト２と一体的に形成されている。
【００２７】
カバー保持部材８は、用紙カバー５をペーパレスト２の用紙載置面２ａ上を覆う状態に保持するためのものである。カバー保持部材８は、用紙カバー５に設けられており、用紙カバー５をペーパレスト２の用紙載置面２ａ上を覆う状態にしたときにペーパレスト２及びカバー保持部材７に当接し得るように、用紙カバー５から突出している。カバー保持部材８は、用紙カバー５と一体的に形成されている。
【００２８】
カバー保持部材９は、用紙カバー５をペーパレスト２の用紙載置面２ａ上を覆わない状態に保持するためのものである。カバー保持部材９は、ペーパレスト２の背面（用紙載置面２ａと反対の面）側に設けられており、用紙カバー５をペーパレスト２の背面側に回動させたときに用紙カバー５の先端が当接され得るように、ペーパレスト２の背面から突出している。カバー保持部材９は、ペーパレスト２と一体的に形成されている。
【００２９】
このような構成の画像印刷装置１において、用紙カバー５をペーパレスト２の用紙載置面２ａ側に回動させて、カバー保持部材８をペーパレスト２及びカバー保持部材７上に位置させると、用紙カバー５の自重によって、カバー保持部材８がペーパレスト２及びカバー保持部材７に当接された状態となり、これにより、用紙カバー５は、ペーパレスト２とカバー保持部材７とによって、用紙カバー５が自重で動こうとする方向に支えられて、ペーパレスト２の用紙載置面２ａ側に重なるようにして、ペーパレスト２の用紙載置面２ａ上を覆う状態に保持される。
【００３０】
すなわち、用紙カバー５は、ペーパレスト２の用紙載置面２ａ上を覆う状態において、用紙カバー５が自重で動こうとする方向に支えられて、ペーパレスト２の用紙載置面２ａに重なるように保持される。用紙カバー５がペーパレスト２の用紙載置面２ａ上を覆う状態に保持されているときには、用紙カバー５をペーパレスト２及びカバー保持部材７から離反させるように（すなわち用紙カバー５が自重で動こうとする方向と逆の方向に）用紙カバー５に力を加えることにより、用紙カバー５を動かす（すなわち保持状態を解除）することができる。
【００３１】
また、用紙カバー５をペーパレスト２の背面側に回動させて、用紙カバー５の先端をペーパレスト２とカバー保持部材９との間に挿入すると、用紙カバー５の自重によって、用紙カバー５がカバー保持部材９に当接された状態となり、これにより、用紙カバー５は、カバー保持部材９によって、用紙カバー５が自重で動こうとする方向に支えられて、ペーパレスト２の背面側に重なるようにして、ペーパレスト２の用紙載置面２ａ上を覆わない状態に保持される。
【００３２】
すなわち、用紙カバー５は、ペーパレスト２の用紙載置面２ａ上を覆わない状態において、用紙カバー５が自重で動こうとする方向に支えられて、ペーパレスト２の背後に重なるように保持される。用紙カバー５がペーパレスト２の用紙載置面２ａ上を覆わない状態に保持されているときには、用紙カバー５をカバー保持部材９から離反させるように用紙カバー５に力を加えることにより、用紙カバー５を動かす（すなわち保持状態を解除する）ことができる。
【００３３】
このような構成の画像印刷装置１によれば、用紙カバー５をペーパレスト２の用紙載置面２ａ上を覆わない状態にすることにより、ペーパレスト２に用紙を載置することが可能になり、一方、用紙カバー５をペーパレスト２の用紙載置面２ａ上を覆う状態にすることにより、ペーパレスト２に載置されている用紙を用紙カバー５により覆って埃などから保護することができる。
【００３４】
しかも、用紙カバー５は、カバー支持板６を介して、ペーパレスト２に可動自在に支持されており、ペーパレスト２の用紙載置面２ａ上を覆う状態と覆わない状態とに動かされる。すなわち、用紙カバー５を画像印刷装置１から取外すことなく、用紙カバー５を画像印刷装置１に支持された状態で動かすだけで、ペーパレスト２の用紙載置面２ａ上を覆う状態と覆わない状態とにすることができる。従って、用紙カバー５を画像印刷装置１から取外して別の場所に置いたり、別の場所に置いていた用紙カバー５を手に取って画像印刷装置１に装着することなく、ペーパレスト２に用紙を載置することができ、ペーパレスト２に用紙を載置するときの使い勝手を良くすることができる。また、用紙カバー５が画像印刷装置１から取外されたままで放置されることによる用紙カバー５の紛失等を防ぐこともできる。
【００３５】
さらに、用紙カバー５は、回動自在に支持されており、用紙カバー５を回動させるだけで、ペーパレスト２の用紙載置面２ａ上を覆う状態と覆わない状態とにすることができる。用紙カバー５を回動させる行為は容易であり、従って、容易に、ペーパレスト２の用紙載置面２ａ上を覆う状態と覆わない状態とにすることができ、ペーパレスト２に用紙を載置するときの使い勝手をより良くすることができる。
【００３６】
また、用紙カバー５は、ペーパレスト２の用紙載置面２ａ上を覆う状態において、ペーパレスト２とカバー保持部材７とによって、用紙カバー５が自重で動こうとする方向に支えられて保持される。従って、用紙カバー５がペーパレスト２の用紙載置面２ａ上を覆う状態に保持されているとき、用紙カバー５を自重で動こうとする方向と逆の方向に動かすだけで、用紙カバー５の保持状態を解除して、用紙カバー５をペーパレスト２の用紙載置面２ａ上を覆わない状態にすることができる。用紙カバー５を自重で動こうとする方向と逆の方向に動かす行為は容易であり、従って、容易に、ペーパレスト２の用紙載置面２ａ上を覆わない状態にすることができ、ペーパレスト２に用紙を載置するときの使い勝手をより良くすることができる。
【００３７】
また、用紙カバー５は、ペーパレスト２の用紙載置面２ａ上を覆わない状態において、カバー保持部材９によって、ペーパレスト２の背後に重なるように保持される。従って、用紙カバー５をペーパレスト２の用紙載置面２ａ上を覆わない状態にするとき、用紙カバー５をペーパレスト２の背後に重なるように保持しておくことにより、用紙カバー５が画像印刷装置１の周囲の障害にならず、利便性が向上する。
【００３８】
また、用紙カバー５及びカバー支持板６は、透視性を有する材料により形成されているため、用紙カバー５がペーパレスト２の用紙載置面２ａ上を覆っていても、用紙カバー５及びカバー支持板６越しに、ペーパレスト２に載置されている用紙が見える。従って、用紙カバー５をペーパレスト２の用紙載置面２ａ上を覆う状態に保持しておくことにより、ペーパレスト２に載置されている用紙を保護しつつ、ペーパレスト２に載置されている用紙の残量や、ペーパレスト２に載置されている用紙が筺体１０内に取込まれる様子を確認することができ、利便性が向上する。
【００３９】
＜第２の実施形態＞
図４は、第２の実施形態による画像印刷装置の構成を示す。本実施形態の画像印刷装置１は、上記第１の実施形態の基準ガイド３及び可動ガイド４に代えて、用紙カバー５に、用紙をガイドするための用紙ガイド３１、３２が設けられている。また、本実施形態の画像印刷装置１は、ペーパレスト２に、用紙ガイド３１、３２が挿入されるガイド受け穴４１、４２と、用紙を位置合わせするための基準ライン５１、５２が形成されている。本実施形態における他の構成については、上記第１の実施形態と同様である。
【００４０】
用紙カバー５は、上記第１の実施形態と同様に、カバー保持部材８がペーパレスト２及びカバー保持部材７に当接されることにより、用紙カバー５が自重で動こうとする方向に支えられて、ペーパレスト２の用紙載置面２ａ上を覆う状態に保持される。
【００４１】
用紙ガイド３１は、Ａ４サイズの用紙をガイドするものであり、用紙ガイド３２は、レターサイズの用紙をガイドするものである。用紙ガイド３１、３２及びガイド受け穴４１、４２は、カバー保持部材８がペーパレスト２及びカバー保持部材７に当接されて、用紙カバー５がペーパレスト２の用紙載置面２ａ上を覆う状態に保持されたときに、用紙ガイド３１、３２がガイド受け穴４１、４２に挿入されるように形成されている。
【００４２】
基準ライン５１は、Ａ４サイズの用紙をペーパレスト２に載置するときに、用紙を載置すべき位置を示すものであり、Ａ４サイズの用紙は、基準ライン５１に位置を合わせて、ペーパレスト２に載置される。基準ライン５２は、レターサイズの用紙をペーパレスト２に載置するときに、用紙を載置すべき位置を示すものであり、レターサイズの用紙は、基準ライン５２に位置を合わせて、ペーパレスト２に載置される。
【００４３】
このような構成の画像印刷装置１において、カバー保持部材８がペーパレスト２及びカバー保持部材７に当接されて、用紙カバー５がペーパレスト２の用紙載置面２ａ上を覆う状態に保持されると、用紙ガイド３１は、ペーパレスト２のガイド受け穴４１に挿入され、基準ライン５１に位置を合わせてペーパレスト２に載置されているＡ４サイズの用紙をガイドし、用紙ガイド３２は、ペーパレスト２のガイド受け穴４２に挿入され、基準ライン５２に位置を合わせてペーパレスト２に載置されているレターサイズの用紙をガイドする。
【００４４】
なお、本発明は、上記各実施形態の構成に限られず、種々の変形が可能である。例えば、用紙カバーは、カバー支持板を介さずに、ペーパレストに直接に回動自在に支持されていてもよい。また、用紙カバーは、ペーパレストに限られず、筺体に回動自在に支持されていてもよい。さらに、用紙カバーは、回動自在に支持される構成に限られず、スライド自在に支持される構成であってもよい。また、用紙カバーは、ペーパレストの用紙載置面を覆わない状態にするとき、ペーパレストの背面側において、用紙カバーの自重によって垂下された状態で保持されてもよい。ペーパレストは、平板形状のものに限られず、いわゆる給紙トレイや給紙カセットと呼ばれるもののように、箱型形状のものであってもよい。
【００４５】
また、用紙カバー及びカバー支持板は、透視性を有さない材料により形成してもよい。このような構成によれば、ペーパレストに載置された用紙を日焼けから保護することもできる。また、用紙カバー及びカバー支持板を透視性を有さない材料により形成した構成において、用紙カバーの一部、又はカバー支持板の一部を透視性を有する材料により形成してもよく、用紙カバーの一部、又はカバー支持板の一部に開口を形成してもよい。このような構成によれば、ペーパレストに載置された用紙を日焼けから保護しつつ、ペーパレストに載置されている用紙の残量や、ペーパレストに載置されている用紙が筺体内に取込まれる様子を確認することができる。
【００４６】
また、用紙カバーは、ペーパレストの用紙載置面上を覆う状態に保持されているとき、ペーパレストの用紙載置面上と共に筺体の用紙取込開口を覆うようにしてもよい。このような構成は、例えば、用紙カバーがペーパレストの用紙載置面上を覆う状態に保持されたときに、用紙カバーの下端が筺体の用紙取込開口に挿入されるようにすることにより、又は、筺体の用紙取込開口を塞ぐように用紙カバーの下端が筺体に接触されるようにすることにより、実現される。このような構成によれば、用紙カバーをペーパレストの用紙載置面上を覆う状態にしておくことにより、ペーパレストに載置されている用紙を保護することに加えて、用紙取込開口から筺体内に埃などが入り込むことを防止することができる。
【図面の簡単な説明】
【００４７】
【図１】（ａ）は本発明の第１の実施形態に係る画像印刷装置の構成を示す正面側から見た斜視図、（ｂ）は同背面側から見た斜視図。
【図２】（ａ）は同画像印刷装置の用紙カバーがペーパレストの用紙載置面上を覆う状態に保持されているときの斜視図、（ｂ）は同側面図。
【図３】（ａ）は同画像印刷装置の用紙カバーがペーパレストの用紙載置面上を覆わない状態に保持されているときの斜視図、（ｂ）は同側面図。
【図４】本発明の第２の実施形態に係る画像印刷装置の構成を示す斜視図。
【符号の説明】
【００４８】
１    画像印刷装置
２    ペーパレスト
２ａ    用紙載置面
３    基準ガイド
４    可動ガイド
５    用紙カバー
６    カバー支持板
７、８、９    カバー保持部材
１０    筺体
１１    用紙取込開口
１２    排紙口
３１  ３２    用紙ガイド
４１、４２    ガイド受け穴
５１、５２    基準ライン
５６、６２    軸部
【図１】
2009046247.tif 000003
【図２】
2009046247.tif 000004
【図３】
2009046247.tif 000005
【図４】
2009046247.tif 000006